(57)【要約】【課題】  本発明は、カメラの撮影状況に応じて表示項目が変化したり、撮影に関する情報をリアルタイムに撮影者に分かりやすく表示する電子カメラを提供する。【解決手段】  電子カメラは、撮影レンズと、撮像素子と、表示部と、バー表示部と、撮影情報取得部と、焦点距離検出部と、バー表示制御部と、を備える。撮影レンズは、電子カメラ本体に対して交換可能である。撮像素子は、画像を生成する。表示部は、画像が表示可能である。バー表示部は、予め指定された焦点距離のレンジ幅のうち任意のレンジ幅を表示部にバー表示可能である。撮影情報取得部は、撮影レンズの焦点距離範囲の情報を少なくとも含む撮影情報を撮影レンズから取得する。焦点距離検出部は、撮影レンズの現在の焦点距離を検出する。バー表示制御部は、焦点距離範囲に応じた長さのバーを任意のレンジ幅のバーとして、バー表示部にバー表示させるとともに、現在の焦点距離の位置を明示させる。【選択図】    図1
2009302654.tif 000002
【特許請求の範囲】
【請求項１】
交換可能な撮影レンズと、
前記撮影レンズを介して被写体を撮像することにより画像を生成する撮像素子と、
前記画像が表示可能な表示部と、
予め指定された焦点距離のレンジ幅のうち任意のレンジ幅を前記表示部にバー表示可能なバー表示部と、
前記撮影レンズの焦点距離範囲の情報を少なくとも含む撮影情報を前記撮影レンズから取得する撮影情報取得部と、
前記撮影レンズの現在の焦点距離を検出する焦点距離検出部と、
前記焦点距離範囲に応じた長さのバーを前記任意のレンジ幅のバーとして、前記バー表示部にバー表示させるとともに、前記現在の焦点距離の位置を明示させるバー表示制御部と、
を備えることを特徴とする電子カメラ。
【請求項２】
交換可能な撮影レンズと、
前記撮影レンズを介して被写体を撮像することにより画像を生成する撮像素子と、
前記画像が表示可能な表示部と、
前記撮影レンズの焦点距離範囲の情報を少なくとも含む撮影情報を前記撮影レンズから取得する撮影情報取得部と、
前記撮影レンズの現在の焦点距離を検出する焦点距離検出部と、
前記焦点距離が、前記焦点距離範囲において所定の焦点距離より広角側に設定された場合には、前記焦点距離に応じて現在の画角を表す画角情報を前記表示部に表示させる画角情報表示制御部と、
を備えることを特徴とする電子カメラ。
【請求項３】
交換可能な撮影レンズと、
前記撮影レンズを介して被写体を撮像することにより画像を生成する撮像素子と、
前記画像が表示可能な表示部と、
前記撮影レンズの焦点距離範囲の情報を少なくとも含む撮影情報を前記撮影レンズから取得する撮影情報取得部と、
前記撮影レンズの現在の焦点距離を検出する焦点距離検出部と、
前記焦点距離が、前記焦点距離範囲において所定の焦点距離より望遠側に設定された場合には、前記被写体の撮影範囲を表す撮影画像領域の枠を前記表示部に表示させる領域表示制御部と、
を備えることを特徴とする電子カメラ。
【請求項４】
請求項２又は３に記載の電子カメラにおいて、
予め指定された焦点距離のレンジ幅のうち任意のレンジ幅を前記表示部にバー表示可能なバー表示部と、
前記焦点距離範囲に応じた長さのバーを前記任意のレンジ幅のバーとして、前記バー表示部にバー表示させるとともに、前記現在の焦点距離の位置を明示させるバー表示制御部と、をさらに備えることを特徴とする電子カメラ。
【請求項５】
請求項３に記載の電子カメラにおいて、
前記領域表示制御部は、前記現在の焦点距離に応じて、前記撮影画像領域の枠のサイズを変化させることを特徴とする電子カメラ。
【請求項６】
請求項３に記載の電子カメラにおいて、
前記領域表示制御部は、前記撮影範囲とは異なる領域に前記撮影情報を表示することを特徴とする電子カメラ。
【発明の詳細な説明】
【技術分野】
【０００１】
本発明は、電子カメラに関する。
【背景技術】
【０００２】
従来、表示機能を備える電子カメラとして、電子ビューファインダ（ＥＶＦ：Ｅｌｅｃｔｒｉｃａｌ  Ｖｉｅｗ  Ｆｉｎｄｅｒ（以下、「ＥＶＦ」という。））付き電子カメラが知られている（例えば、特許文献１、２参照）。ＥＶＦの画面上には、例えば、各種カメラやレンズの設定情報を表示することができる。
【０００３】
特許文献１に開示された電子カメラでは、設定情報を表す表示項目を表示可能とする領域をＥＶＦの画面上に複数有し、その表示項目の内容やその領域の表示場所を自由に変えることができる。
【０００４】
また、特許文献２に開示された電子カメラでは、ユーザの良く使用する設定情報をＥＶＦの画面上に見やすく表示したり、撮影条件の設定に関するメニュー表示の表示順序を使用頻度に応じて変えたりすることができる。
【特許文献１】特開２００３−１０１８３７号公報
【特許文献２】特開２００２−８４４４７号公報
【発明の開示】
【発明が解決しようとする課題】
【０００５】
しかしながら、特許文献１や特許文献２に開示された電子カメラでは、カメラの撮影状況に応じて表示項目が変化したり、撮影に関する情報をリアルタイムに撮影者に分かりやすく表示する点において、なお改善の余地があった。
【０００６】
そこで、本発明は、上記事情に鑑み、撮影に関する情報をリアルタイムに撮影者に分かりやすく表示する電子カメラを提供することを目的とする。
【課題を解決するための手段】
【０００７】
第１の発明に係る電子カメラは、撮影レンズと、撮像素子と、表示部と、バー表示部と、撮影情報取得部と、焦点距離検出部と、バー表示制御部と、を備える。撮影レンズは、電子カメラ本体に対して交換可能である。撮像素子は、撮影レンズを介して被写体を撮像することにより画像を生成する。表示部は、画像が表示可能である。撮影情報取得部は、撮影レンズの焦点距離範囲の情報を少なくとも含む撮影情報を撮影レンズから取得する。バー表示部は、予め指定された焦点距離のレンジ幅のうち任意のレンジ幅を表示部にバー表示可能である。焦点距離検出部は、撮影レンズの現在の焦点距離を検出する。バー表示制御部は、焦点距離範囲に応じた長さのバーを任意のレンジ幅のバーとして、バー表示部にバー表示させるとともに、現在の焦点距離の位置を明示させる。
【０００８】
第２の発明に係る電子カメラは、撮影レンズと、撮像素子と、表示部と、撮影情報取得部と、焦点距離検出部と、画角情報表示制御部と、を備える。撮影レンズは、電子カメラ本体に対して交換可能である。撮像素子は、撮影レンズを介して被写体を撮像することにより画像を生成する。表示部は、画像が表示可能である。撮影情報取得部は、撮影レンズの焦点距離範囲の情報を少なくとも含む撮影情報を撮影レンズから取得する。焦点距離検出部は、撮影レンズの現在の焦点距離を検出する。画角情報表示制御部は、焦点距離が、焦点距離範囲において所定の焦点距離より広角側に設定された場合には、焦点距離に応じて現在の画角を表す画角情報を表示部に表示させる。
【０００９】
第３の発明に係る電子カメラは、撮影レンズと、撮像素子と、表示部と、撮影情報取得部と、焦点距離検出部と、領域表示制御部と、を備える。撮影レンズは、電子カメラ本体に対して交換可能である。撮像素子は、撮影レンズを介して被写体を撮像することにより画像を生成する。表示部は、画像が表示可能である。撮影情報取得部は、撮影レンズの焦点距離範囲の情報を少なくとも含む撮影情報を撮影レンズから取得する。焦点距離検出部は、撮影レンズの現在の焦点距離を検出する。領域表示制御部は、焦点距離が、焦点距離範囲において所定の焦点距離より望遠側に設定された場合には、被写体の撮影範囲を表す撮影画像領域の枠を表示部に表示させる。
【００１０】
第４の発明は、第２又は第３の発明において、予め指定された焦点距離のレンジ幅のうち任意のレンジ幅を表示部にバー表示可能なバー表示部と、焦点距離範囲に応じた長さのバーを任意のレンジ幅のバーとして、バー表示部にバー表示させるとともに、現在の焦点距離の位置を明示させるバー表示制御部と、をさらに備える。
【００１１】
第５の発明は、第３の発明において、領域表示制御部は、現在の焦点距離に応じて、撮影画像領域の枠のサイズを変化させる。
【００１２】
第６の発明は、第３の発明において、領域表示制御部は、撮影範囲とは異なる領域に撮影情報を表示させる。
【発明の効果】
【００１３】
本発明の電子カメラによれば、撮影に関する情報をリアルタイムに撮影者に分かりやすく表示する電子カメラを提供することができる。
【発明を実施するための最良の形態】
【００１４】
（第１実施形態）
以下、図面に基づいて本発明の実施の形態を詳細に説明する。
【００１５】
図１は、本発明の第１実施形態の電子カメラ１の構成を示すブロック図である。図１に示す通り電子カメラ１は、カメラ本体１ａと、レンズユニット１ｂとを有する。図１において、カメラ本体１ａ（ここでは、レンズ交換式の電子カメラとする）には、レンズマウント１１（レンズユニット側マウント１１ａとカメラ本体側マウント１１ｂとから構成される）を介してレンズユニット１ｂが装着されている。レンズユニット１ｂは、撮影レンズ２と、絞り３と、エンコーダ（Ｅ１）４、エンコーダ（焦点距離検出部：Ｅ２）５、レンズＣＰＵ（Ｃｅｎｔｒａｌ  Ｐｒｏｃｅｓｓｉｎｇ  Ｕｎｉｔ）６と、ＲＯＭ（Ｒｅａｄ  Ｏｎｌｙ  Ｍｅｍｏｒｙ）７と、レンズユニット側マウント１１ａとを有する。
【００１６】
撮影レンズ２は、被写体に焦点を合わせる焦点調節用レンズ群２ａと、焦点距離（ｆｍｍ）を変えるためのズームレンズ群２ｂとで構成されている。なお、図１では、焦点調節用レンズ群２ａとズームレンズ群２ｂとは、各々１枚のレンズとして図示する。
【００１７】
絞り１２は、撮影レンズ２からの入射光量を調整する。
【００１８】
エンコーダ（Ｅ１）４は、焦点調節用レンズ群２ａの焦点位置を検出し、その検出した焦点位置をレンズＣＰＵ６に出力する。エンコーダ（Ｅ２）５は、ズームレンズ群２ｂの移動により変えられる焦点距離（ｆｍｍ）を検出し、その検出した焦点距離をレンズＣＰＵ６に出力する。
【００１９】
レンズＣＰＵ６は、カメラ本体１ａ側のＣＰＵ２０の指示により、撮影レンズ２や絞り３を制御する。ＲＯＭ７には、撮影レンズ２の撮影情報（例えば、焦点距離範囲、レンズの種類、レンズの型番、手ブレ防振機能の有無等）が予め記録されている。レンズユニット側マウント１１ａは、カメラ本体側マウント１１ｂと電気的に接続されている。これにより、レンズＣＰＵ６の入出力は、ＣＰＵ２０によって制御されることになる。また、撮影レンズ２の撮影情報は、ＣＰＵ２０に読み出される。また、焦点距離や焦点位置の情報等についてもレンズＣＰＵ６からレンズマウント１１を介して、ＣＰＵ２０に読み出される。次に、カメラ本体１の構成を説明する。
【００２０】
カメラ本体１ａには、撮像素子１２と、タイミングジェネレータ（ＴＧ）１３と、アナログフロントエンド部(以下、「ＡＦＥ」という。)１４と、画像処理部１５と、ＲＡＭ（Ｒａｎｄｏｍ  Ａｃｃｅｓｓ  Ｍｅｍｏｒｙ）１６と、ＲＯＭ（Ｒｅａｄ  Ｏｎｌｙ  Ｍｅｍｏｒｙ）１７と、操作部１８と、ＥＶＦ１９と、ＣＰＵ２０と、記録インターフェース（記録Ｉ／Ｆ）２１と、記録媒体２２と、バス２３とが備えられている。このうち画像処理部１５、ＲＡＭ１６、ＲＯＭ１７、ＥＶＦ１９、ＣＰＵ２０及び記録インターフェース（記録Ｉ／Ｆ）２１は、バス２３を介して互いに接続されている。また、操作部１８はＣＰＵ２０に接続されている。
【００２１】
撮像素子１２は、撮影レンズ２からの入射光を光電変換することにより、画像信号（アナログ信号）を生成する。なお、撮像素子１２は、撮影時に記録用の画像を出力する。また、撮影待機時には、撮像素子１２はスルー画像を出力する。
【００２２】
また、タイミングジェネレータ（ＴＧ）１３は、ＣＰＵ２０からの指示に従い撮像素子１２及びＡＦＥ１４の各々へ向けて駆動信号を送出し、それによって両者の駆動タイミングを制御する。
【００２３】
ＡＦＥ１４は、撮像素子１２が生成する画像信号に対して信号処理を施すアナログフロントエンド回路である。このＡＦＥ１２は、画像信号のゲイン調整や、画像信号のＡ／Ｄ変換などを行う。このＡＦＥ１２が出力する画像信号（デジタル信号）は、画像処理部１５へ入力される。
【００２４】
画像処理部１５は、ＡＦＥ１４が出力するＲＧＢ信号の画像データをＲＡＭ１６のフレームメモリに一時的に記憶させる。また、画像処理部１５は、ＲＧＢ信号の画像データを輝度（Ｙ）と色（Ｃ）とで表されるＹＣ信号の画像データに変換する。
【００２５】
また、画像処理部１５は、ＲＡＭ１６のフレームメモリに記憶されている画像データに対してホワイトバランス補正処理などの画像処理を行う。
【００２６】
ＥＶＦ１９は、いわゆる覗き式のＥＶＦであり、電子カメラ１の背面側に設けられている。ＥＶＦ１９の表示画面上には、画像や撮影情報等が表示される。また、ＥＶＦ１９の表示画面上には、バー表示部が表示される。このバー表示部は、予め指定された焦点距離のレンジ幅のうち任意のレンジ幅のバー表示機能を有する。詳細については後述する。
【００２７】
記録インターフェース（記録Ｉ／Ｆ）２１には、記録媒体２２を接続するためのコネクタが形成されている。記録インターフェース（記録Ｉ／Ｆ）２１は、ＣＰＵ２０からの指示により、そのコネクタに接続された記録媒体２２にアクセスして画像の記録処理等を行う。
【００２８】
操作部１８は、電子カメラ１の背面及び上面に備えられている各操作ボタン（不図示）の操作を受け付けてＣＰＵ２０に処理の命令を出す。操作ボタンとしては、例えば、レリーズボタン、電源ボタン及びメニュー切替・実行キー等が挙げられる。レリーズボタンは、ユーザからの撮像指示を受け付ける操作ボタンである。電源ボタンは、電子カメラ１の電源をオンオフする操作ボタンである。メニュー切替・実行キーは、電子カメラ１で使用されるメニューを自在に切り替えて設定条件を選択若しくは実行する操作ボタンである。
【００２９】
ＣＰＵ２０は、電子カメラ１の統括的な制御を行うプロセッサである。ＣＰＵ２０は、ＲＯＭ１７に予め格納されたシーケンスプログラムを実行することにより、各処理のパラメータを算出したり、電子カメラ１の各部を制御したりする。
【００３０】
図２は、ＣＰＵ２０で実行されるプログラムの模式図である。第１実施形態では図２（ａ）のプログラムＡがＣＰＵ２０に組み込まれる。すなわち、ＣＰＵ２０には、プログラムＡが組み込まれることによって、撮影情報取得部２０ａと、バー表示制御部２０ｂとが構築される。
【００３１】
撮影情報取得部２０ａは、撮影レンズ２の撮影情報（焦点距離範囲、レンズの種類、レンズの型番、手ブレ防振機能の有無等）や、撮影時における焦点位置や焦点距離の情報を取得する。
【００３２】
バー表示制御部２０ｂは、焦点距離範囲に応じた長さのバーを任意のレンジ幅のバーとして、ＥＶＦ１９のバー表示部にバー表示させるとともに、現在の焦点距離の位置を明示させる。
【００３３】
次に、第１実施形態における電子カメラ１の撮影動作の一例を説明する。なお、以下の説明では、ユーザが、ＥＶＦ１９を見ながら撮影するものとする。
【００３４】
先ず、ユーザが電子カメラ１の電源をオンすると、ＣＰＵ２０の指示により、レンズＣＰＵ６は、ＲＯＭ７から撮影レンズ２の撮影情報を読み出す。続いて、レンズＣＰＵ６は、ＣＰＵ２０内の撮影情報取得部２０に撮影情報を送信する。すると、ＣＰＵ２０内の撮影情報取得部２０は、撮影情報をＲＡＭ１６に格納する。また、レンズＣＰＵ６は、現在の焦点距離をエンコーダ（Ｅ２）５から読み出してＣＰＵ２０に送信する。ＣＰＵ２０は、現在の焦点距離をＲＡＭ１６に格納する。この撮影情報と現在の焦点距離とがＲＡＭ１６に格納された後、ＥＶＦ１９の表示画面上には、スルー画像が表示される。
【００３５】
バー表示制御部２０ｂは、撮影情報から焦点距離範囲を読み出し、焦点距離範囲に応じた長さのバーを任意のレンジ幅のバーとして、ＥＶＦ１９のバー表示部にバー表示させるとともに、現在の焦点距離の位置を明示させる。
【００３６】
図３は、バー表示の一例を示した図である。図３（ａ）に示すように、ＥＶＦ１９のバー表示部１９０には、焦点距離範囲に応じた長さのバー１９ａが重畳的に表示される。ここで、一例として、電子カメラ１側で指定した撮影レンズの焦点距離のレンジ幅が１５〜４００ｍｍの場合について説明する。
【００３７】
この場合、バー表示制御部２０ｂは、本来、焦点距離のレンジ幅を１５〜４００ｍｍとしてバー表示部１９０に表示させることができる。このレンジ幅は固定であって伸び縮みしないものとする。この状態で、焦点距離範囲が１５〜２００ｍｍの交換レンズ２（レンズユニット１ｂ）が、電子カメラ１に装着されると、ＥＶＦ１９上には、交換レンズ２の焦点距離（１５〜２００ｍｍ）が１５〜２００ｍｍのレンジ幅に合うように、表示バー１９ａがＥＶＦ１９の表示画面上に表示される。説明の便宜上、点線で記載している表示バーの右端が４００ｍｍに相当するが、この点線枠の部分は実際には表示されないものとする。
【００３８】
従来、一例として、焦点距離範囲が１５〜２００ｍｍの交換レンズ２が、電子カメラ１に装着されると、表示バーの左端が１５ｍｍとなり、点線で示している表示バーの右端が２００ｍｍとしてすべて実線の表示バーとして表示されている。また、焦点距離範囲が１５〜５５ｍｍの交換レンズ２が、電子カメラ１に装着されると、表示バーの左端が１５ｍｍとなり、点線で示している表示バーの右端が５５ｍｍとしてすべて実線の表示バーとして表示されている。すなわち、焦点距離範囲に関係なく、焦点距離範囲の下限が表示バーの左端に位置づけられ、焦点距離範囲の上限が表示バーの右端に位置づけられる。
【００３９】
本実施形態では、このような表示形態ではなく、焦点距離範囲に応じた長さのバーを、予め指定されたレンジ幅の対応する位置に表示することを特徴とする。
【００４０】
したがって、バー表示制御部２０ｂは、図３（ａ）の場合、上述した通り、交換レンズ２の焦点距離（１５〜２００ｍｍ）が１５〜２００ｍｍのレンジ幅に合うように、表示バー１９ａをＥＶＦ１９の表示画面上に表示させる。なお、表示バー１９ａの斜線で示した右端が現在の焦点距離の位置を表している。さらに、バー表示制御部２０ｂは、現在の焦点距離の位置を明示するマーク１９ｂを表示させる。また、現在の焦点距離の値もＥＶＦ１９の表示画面上に表示される。なお、簡単のため、図３ではスルー画像の被写体は省略している。
【００４１】
ここで、ＣＰＵ２０は、ユーザ操作により撮影レンズ２の移動を受け付けると、バー表示制御部２０ｂは、撮影レンズ２の焦点距離が変更するにともなって、バー表示におけるバーの長さ（図中、斜線部分）を変更させるとともにマーク１９ｂの位置も移動させる。さらに、ＣＰＵ２０は、不図示のレリーズボタンの半押し操作を受けて、公知の技術によりデフォーカス量を検出する。ＣＰＵ２０は、デフォーカス量をレンズＣＰＵ６に送信する。レンズＣＰＵ６は、デフォーカス量に基づいて、撮影レンズ２の焦点調節を行う。バー表示制御部２０ｂは、ピントが合うと、一例としてＥＶＦ１９の表示画面上において、マーク１９ｂの色を変化させるなどの処理を行ってもよい。
【００４２】
ＣＰＵ２０は、操作部１８からの全押し操作を受けて、本画像取得のため、タイミングジェネレータ（ＴＧ）１３を介して撮像素子１２を駆動させる。ＡＦＥ１４では、画像信号のゲイン調整や画像信号のＡ／Ｄ変換が行われる。このＡＦＥ１４が出力する画像信号（デジタル信号）は、画像処理部１５へ入力される。画像処理部１５は、ＡＦＥ１４が出力する本画像のデータをＲＡＭ１６のフレームメモリに記憶させる。
【００４３】
画像処理部１５は、ホワイトバランス補正処理などの画像処理を行う。ＣＰＵ２０は、本画像のデータを圧縮処理して記録媒体２２に保存する。以上で、電子カメラ１の撮影動作が終了する。
【００４４】
なお、図３（ｂ）に示すように、焦点距離範囲が１５〜５５ｍｍの交換レンズ２が電子カメラ１に装着されると、ＥＶＦ１９上には、交換レンズ２の焦点距離（１５〜５５ｍｍ）が１５〜５５ｍｍのレンジ幅に合うように、表示バー１９ａがＥＶＦ１９の表示画面上に表示される。また、図３（ｃ）に示すように、焦点距離範囲が５５〜２００ｍｍの交換レンズ２が電子カメラ１に装着されると、ＥＶＦ１９上には、交換レンズ２の焦点距離（５５〜２００ｍｍ）が５５〜２００ｍｍのレンジ幅に合うように、表示バー１９ａがＥＶＦ１９の表示画面上に表示される。ただし、図３（ａ）〜（ｃ）の表示態様は一例であって、これに限定されるものではない。
【００４５】
また、例えば、電子カメラ１側で指定した撮影レンズの焦点距離のレンジ幅が８〜２００ｍｍであれば、図３（ａ）の表示部１９ｃのレンジ幅は左端が８ｍｍになり、点線で示す右端が２００ｍｍとなる。
【００４６】
さらに、例えば、交換レンズが単焦点レンズの場合には、表示バー１９ａを点線枠にするなどして、単焦点レンズの焦点距離の位置にマーク１９ｂを表示し、さらに、ｆ＝○ｍｍの表示をするような表示態様にしてもよい。すなわち、レンズの種類に応じて表示枠の表示態様を変えてもよい。
【００４７】
以上より、第１実施形態の電子カメラ１によれば、装着した撮影レンズの焦点距離範囲に応じた長さのバーが、予め指定されたレンジ幅のうち任意のレンジ幅のバーとしてバー表示されるとともに、現在の焦点距離がリアルタイムに表示される。これにより、ユーザは、焦点距離範囲や現在の焦点距離の情報が直感的に見やすく、分かりやすくなる。
（第２実施形態）
次に、本発明の第２実施形態について説明する。なお、本発明の第１実施形態と本発明の第２実施形態とでは、同じ要素については同じ符号を付して説明を省略する。
【００４８】
本発明の第２実施形態の電子カメラ１では、図２（ｂ）のプログラムＢがＣＰＵ２０に組み込まれる。すなわち、ＣＰＵ２０には、プログラムＢが組み込まれることによって、撮影情報取得部２０ａと、バー表示制御部２０ｂと、画角情報表示制御部２０ｃとが構築される。撮影情報取得部２０ａと、バー表示制御部２０ｂとは、第１実施形態と同様である。
【００４９】
画角情報表示制御部２０ｃは、撮影レンズ２の焦点距離が、焦点距離範囲において所定の焦点距離より広角側に設定された場合には、焦点距離に応じて現在の画角を表す画角情報をＥＶＦ１９の表示画面上に表示させる。
【００５０】
次に、第２実施形態における電子カメラ１の撮影動作の一例を説明する。
【００５１】
先ず、ユーザが電子カメラ１の電源をオンすると、第１実施形態と同様、レンズＣＰＵ６は、ＣＰＵ２０内の撮影情報取得部２０ａに撮影情報を送信する。すると、ＣＰＵ２０内の撮影情報取得部２０ａは、撮影情報をＲＡＭ１６に格納する。また、レンズＣＰＵ６は、エンコーダ（Ｅ２）５が検出した焦点距離を読み出してＣＰＵ２０に送信する。ＣＰＵ２０は、焦点距離と撮像素子１２のフレームサイズとに基づいて画角を算出する。画角情報表示制御部２０ｃは、撮影レンズ２の焦点距離が、焦点距離範囲において所定の焦点距離より広角側に設定された場合には、現在の画角を表す画角情報をＥＶＦ１９の表示画面上に表示させる。また、バー表示制御部２０ｂは、焦点距離範囲のバー表示と現在の焦点距離をＥＶＦ１９の表示画面上に表示させる。
【００５２】
図４は、ＥＶＦ１９の表示画面に表示されているスルー画像の一例の図である。図４（ａ）では、塔１９ｃがスルー画像として表示されるとともに、表示バー１９ａ、現在の焦点距離を示すマーク１９ｂ、現在の焦点距離の値が表示される。さらに、現在の画角が模式的に表示される（なお、１９ｄは人間の目を表しており、１９ｅは視野角を表している）。
【００５３】
この状態で、ユーザが全押し操作すると、第１実施形態と同様にして画像が撮影される。そして、この画像は記録媒体２２に記録される。
【００５４】
以上より、第２実施形態の電子カメラ１によれば、撮影レンズ２の焦点距離が、焦点距離範囲において所定の焦点距離より広角側に設定された場合には、現在の画角を表す画角情報がＥＶＦ１９の表示画面上にリアルタイムに表示される。また、撮影レンズの焦点距離範囲がバー表示されるとともに、現在の焦点距離がリアルタイムに表示される。これにより、ユーザは、現在の画角の情報、焦点距離範囲、現在の焦点距離の情報が直感的に見やすく、分かりやすくなる。
【００５５】
なお、ユーザの好みに応じて、図４（ｂ）に示すように、表示バー１９ａやマーク１９ｂを表示させないようにしてもよい。
（第３実施形態）
次に、本発明の第３実施形態について説明する。なお、本発明の第１実施形態と本発明の第３実施形態とでは、同じ要素については同じ符号を付して説明を省略する。
【００５６】
本発明の第３実施形態の電子カメラ１では、図２（ｃ）のプログラムＣがＣＰＵ２０に組み込まれる。すなわち、ＣＰＵ２０には、プログラムＣが組み込まれることによって、撮影情報取得部２０ａと、バー表示制御部２０ｂと、領域表示制御部２０ｄとが構築される。撮影情報取得部２０ａと、バー表示制御部２０ｂとは、第１実施形態と同様である。領域表示制御部２０ｄは、撮影レンズ２の焦点距離が、焦点距離範囲において所定の焦点距離より望遠側に設定された場合には、被写体の撮影範囲を表す撮影画像領域の枠をＥＶＦ１９の表示画面上に表示させる。この撮影画像領域の枠は、焦点距離に応じてサイズが変化する（詳細は後述する）。また、領域表示制御部２０ｄは、撮影範囲とは異なる領域に撮影情報等を表示させる。
【００５７】
次に、第３実施形態における電子カメラ１の撮影動作の一例を説明する。第３実施形態では、レンズユニット１ｂにおいて、手ブレを防止する手ブレ防止機構（不図示）が組み込まれているものとする。
【００５８】
先ず、ユーザが電子カメラ１の電源をオンすると、第１実施形態と同様、レンズＣＰＵ６は、ＣＰＵ２０内の撮影情報取得部２０ａに撮影情報を送信する。すると、ＣＰＵ２０内の撮影情報取得部２０ａは、撮影情報をＲＡＭ１６に格納する。また、レンズＣＰＵ６は、エンコーダ（Ｅ２）５が検出した焦点距離を読み出してＣＰＵ２０に送信する。領域表示制御部２０ｄは、図５に示すように焦点距離に応じて、以下に説明する撮影画像領域の枠１９ｆのサイズを変更しつつスルー画像を表示させる。
【００５９】
図５は、ＥＶＦ１９の表示画面に表示されているスルー画像の一例の図である。図５（ａ）は、予め設定した焦点距離よりも望遠側に設定された場合におけるスルー画像の一例の図である。撮影レンズ２が、予め設定した焦点距離よりも望遠側に設定されると、領域表示制御部２０ｄは、撮影画像領域の枠１９ｆをＥＶＦ１９の表示画面上に表示させる。この場合、撮影画像領域の枠１９ｆの枠外は黒でマスクされる。さらに、領域表示制御部２０ｄは、この黒でマスクされた領域に、表示バー１９ａやマーク１９ｂを表示させるとともに、現在の焦点距離の値や手ブレ防振レンズの文字を表示させる。さらに、撮影レンズ２が望遠側に設定されると、図５（ｂ）に示すように焦点距離の変化に連動して撮影画像領域の枠１９ｆのサイズが図５（ａ）に比べて小さくなる。
【００６０】
この状態で、ユーザが全押し操作すると、第１実施形態と同様にして画像が撮影される。そして、この画像は記録媒体２２に記録される。
【００６１】
以上、第３実施形態の電子カメラ１によれば、撮影レンズ２が望遠側に移行するにともなって、撮影画像領域の枠１９ｆのサイズが変化する。これにより、撮影したい構図がクローズアップされるため、ユーザは、より見たい構図を決めやすくなり、焦点を合わせやすくなる。さらに、長焦点レンズの手持ち撮影においては、手ブレが起こりがちになるが、ＥＶＦ１９の画面上に「手ブレ防振レンズ」の表示がなされるので、ユーザは、安心してレリーズボタンを押すことができる。また、撮影レンズ２の焦点距離範囲がバー表示されるとともに、現在の焦点距離がリアルタイムに表示される。これにより、ユーザは、焦点距離範囲や現在の焦点距離の情報が直感的に見やすく、分かりやすくなる。
【００６２】
なお、ユーザの好みに応じて、表示バー１９ａやマーク１９ｂを表示させないようにしてもよい。図６は、ＥＶＦ１９の表示画面に表示されているスルー画像の一例の図である。この場合、ＥＶＦ１９の表示画面には、現在の焦点距離の値と「手ブレ防振レンズ」とが表示される。
【００６３】
また、第３実施形態では、撮影画像領域の枠外を黒でマスクしたが、このような表示態様は一例であって、例えば、マスクを薄暗くして、背景の被写体も見えるようにしてもよい。
＜実施形態の補足事項＞
（１）本発明の第１から第３実施形態の電子カメラ１において、電子カメラを横長に構えて撮影する横位置撮影若しくは電子カメラを縦長に構えて撮影する縦位置撮影を検出する姿勢検出部をさらに設けてもよい。図７は、縦位置撮影におけるＥＶＦ１９のスルー画像の一例の図である。姿勢検出部は、縦位置撮影を検出すると、図７に示す通り、ＥＶＦ１９の画面に表示される表示項目も縦位置撮影に合わせて表示位置が変わる。これにより、ユーザが表示内容を見やすくなる。
【００６４】
（２）本発明の第１から第３実施形態の電子カメラ１に組み込まれるプログラムの構成を、例えば、撮影情報取得部２０ａと、バー表示制御部２０ｂと、画角情報表示制御部２０ｃと、領域表示制御部２０ｄとしてもよい。
【００６５】
この場合、撮影レンズ２の焦点距離が広角側と望遠側とをカバーしているとして、所定の焦点距離より広角側に設定された場合には、現在の画角を表す画角情報がＥＶＦ１９の表示画面上にリアルタイムに表示される。一方、焦点距離範囲において所定の焦点距離より望遠側に設定された場合には、撮影画像領域の枠１９ｆがＥＶＦ１９の表示画面上にリアルタイムに表示される。すなわち、所定の焦点距離を境にして、表示画面が切り替わるようにしてもよい。また、広角側（最大）になると撮影画像領域の枠１９ｆがＥＶＦ１９の表示画面の枠と一致するように、焦点距離に応じて撮影画像領域の枠１９ｆのサイズを変えるようにしてもよい。
【００６６】
（３）本発明の第１から第３実施形態の電子カメラ１では、覗き式のＥＶＦを採用したが、背面液晶型のＥＶＦを採用してもよい。
【００６７】
（４）本発明の第１から第３実施形態の電子カメラ１では、自社製、他社製のレンズの情報に応じて、例えば、バー表示の表示範囲の表示態様を変えたり、バー表示等は行わないようにしてもよい。
【図面の簡単な説明】
【００６８】
【図１】本発明の第１実施形態の電子カメラ１の構成を示すブロック図
【図２】ＣＰＵ２０で実行されるプログラムの模式図
【図３】バー表示の一例を示した図
【図４】ＥＶＦ１９の表示画面に表示されているスルー画像の一例の図
【図５】ＥＶＦ１９の表示画面に表示されているスルー画像の一例の図
【図６】ＥＶＦ１９の表示画面に表示されているスルー画像の一例の図
【図７】ＥＶＦ１９の表示画面に表示されているスルー画像の一例の図
【符号の説明】
【００６９】
１・・・電子カメラ、５・・・エンコーダＥ２、２０ａ・・・撮影情報取得部、１９０・・・バー表示部、２０ｂ・・・バー表示制御部、２０ｃ・・・画角情報表示制御部、２０ｄ・・・領域表示制御部
【図１】
2009302654.tif 000003
【図２】
2009302654.tif 000004
【図３】
2009302654.tif 000005
【図４】
2009302654.tif 000006
【図５】
2009302654.tif 000007
【図６】
2009302654.tif 000008
【図７】
2009302654.tif 000009